(57)【要約】【課題】簡単な形状であり、かつ、就寝時に利用者の首への負担を和らげて、利用者にとって楽で快適な枕を提供する。【解決手段】利用者１の頭部を支える第１の支持部１１と、首部を支える第２の支持部１２と、胸部および肩部を支える第３の支持部１３とを備える枕であって、３つの支持部のうち、第２の支持部１２がもっとも硬い高反発ウレタン素材から成り、第１の支持部１１が２番目に硬い高反発ウレタン素材から成り、第３の支持部１３がもっともやわらかい高反発ウレタン素材から成るとともに、第３の支持部１３は、第２の支持部１２と接着している箇所は枕が設置された水平面からの高さが第２の支持部１２と略同じ高さであり、かつ、第２の支持部１２と接着していない端の箇所は水平面からの角度が１０度以上２０度以下になるよう傾斜されて形成されている、略直角三角柱状の部材である。【選択図】図２
2019110966.tif 000002
【特許請求の範囲】
【請求項１】
利用者が寝た状態で頭部を支えるために水平面に載置して使用する枕において、
前記利用者が寝た状態で前記利用者の足から最も遠い位置に載置して使用され、前記利用者の頭部を主として支える第１の支持部と、
前記第１の支持部に接着され、前記利用者の首部を主として支える第２の支持部と、
前記第２の支持部に接着され、前記利用者の胸部および肩部を主として支える第３の支持部とを備え、
前記第１の支持部と前記第２の支持部と前記第３の支持部のうち、前記第２の支持部がもっとも硬い高反発ウレタン素材から成り、前記第１の支持部が２番目に硬い高反発ウレタン素材から成り、前記第３の支持部がもっともやわらかい高反発ウレタン素材から成るとともに、
前記第１の支持部と前記第２の支持部は、前記枕が載置された水平面からの高さが略同じ高さの略直方体形状の部材であり、
前記第３の支持部は、前記第２の支持部と接着している箇所は前記枕が載置された水平面からの高さが前記第２の支持部と略同じ高さであり、かつ、前記第２の支持部と接着していない端の箇所は前記枕が載置された水平面からの角度が１０度以上２０度以下になるよう傾斜されて形成されている、略直角三角柱状の部材である
ことを特徴とする枕。
【発明の詳細な説明】
【技術分野】
【０００１】
この発明は、利用者が就寝時に快適に眠ることができる枕に関するものである。
【背景技術】
【０００２】
従来より、東洋人の枕の使い方は、基本的には頭を載せる台として、しっかりと硬めの部材で作られた枕が使用されていた。そして、個人差があるにもかかわらず、一律に頭だけを載せようとした考え方が、利用者に合っていない枕を使い続ける結果となっていた。一方、西洋人は羽毛枕などの柔らかい素材を使って肩も含めた全体を柔らかい枕に載せるような使い方をしていたが、首への負担や気道の確保などを考慮したものではなかった。
【０００３】
そして、高い枕を好む人や低い枕を好む人など、枕は人の好みによって選ばれており、利用者に合った枕にはなってなかったが、人間が眠る際には、快適な睡眠、安らかな睡眠が求められており、また、いびきの軽減や、首や肩への負担の軽減など、利用者が就寝時に快適に眠ることができるよう、枕について様々な改良が施されてきた。
【０００４】
近年では、例えば特許文献１，２等に記載されているように、肌触りやフィット感の良い低反発ウレタン素材の枕が人気であるとともに、気道を確保することができるよう、首を支える部分だけ少し高さが高くなっている（厚みが厚くなっている）枕などが公開されている。
【先行技術文献】
【特許文献】
【０００５】
【特許文献１】特開２００５−３１９２５０号公報
【特許文献２】特開２０１４−１５１１７６号公報
【発明の概要】
【発明が解決しようとする課題】
【０００６】
しかしながら、例えば特許文献１，２等に示すような低反発素材を用いた従来の枕では、やわらかすぎて首を支えるには十分な強度がないため、就寝時に利用者の首の部分が下がってしまうため実際には気道が確保されない、という課題があった。また、首を支えるのに十分な強度を確保するためには、形状が複雑になってしまう、という課題もあった。
【０００７】
この発明は、上記のような課題を解決するためになされたものであり、簡単な形状であり、かつ、就寝時に利用者の首への負担を和らげて、利用者にとって楽で快適な枕を提供することを目的とする。
【課題を解決するための手段】
【０００８】
上記目的を達成するため、この発明は、利用者が寝た状態で頭部を支えるために水平面に載置して使用する枕において、前記利用者が寝た状態で前記利用者の足から最も遠い位置に載置して使用され、前記利用者の頭部を主として支える第１の支持部と、前記第１の支持部に接着され、前記利用者の首部を主として支える第２の支持部と、前記第２の支持部に接着され、前記利用者の胸部および肩部を主として支える第３の支持部とを備え、前記第１の支持部と前記第２の支持部と前記第３の支持部のうち、前記第２の支持部がもっとも硬い高反発ウレタン素材から成り、前記第１の支持部が２番目に硬い高反発ウレタン素材から成り、前記第３の支持部がもっともやわらかい高反発ウレタン素材から成るとともに、前記第１の支持部と前記第２の支持部は、前記枕が載置された水平面からの高さが略同じ高さの略直方体形状の部材であり、前記第３の支持部は、前記第２の支持部と接着している箇所は前記枕が載置された水平面からの高さが前記第２の支持部と略同じ高さであり、かつ、前記第２の支持部と接着していない端の箇所は前記枕が載置された水平面からの角度が１０度以上２０度以下になるよう傾斜されて形成されている、略直角三角柱状の部材であることを特徴とする。
【発明の効果】
【０００９】
この発明の枕によれば、簡単な形状であるとともに、利用者の頭部と首だけでなく、利用者の胸部および肩全体を支え、首（頸椎）の負担を和らげることができるので、就寝時に利用者にとって楽であり、かつ、利用者が快適に眠ることができる。
【図面の簡単な説明】
【００１０】
【図１】実施の形態１における枕の外観構成の一例を示す斜視図である。
【図２】実施の形態１における枕の、利用者による使用の状態を示す概略説明図である。
【図３】実施の形態１における枕の右側面図（図１を矢印Ａ方向から見た図）を示す説明図である。
【図４】実施の形態１における枕の第１の支持部の形状を一部変更した場合の背面図（図１を矢印Ｂ方向から見た図）を示す説明図である。
【図５】実施の形態２における枕の外観構成の一例を示す斜視図である。
【図６】実施の形態２における枕の、利用者による使用の状態を示す概略説明図である。
【発明を実施するための形態】
【００１１】
以下、この発明の実施の形態について、図面を参照しながら詳細に説明する。
従来より、東洋人の枕の使い方は、基本的には頭を載せる台として、しっかりと硬めの部材で作られた枕が使用されていた。そして、個人差があるにもかかわらず、一律に頭だけを載せようとした考え方が、利用者に合っていない枕を使い続ける結果となっていた。一方、西洋人は羽毛枕などの柔らかい素材を使って肩も含めた全体を柔らかい枕に載せるような使い方をしていたが、首への負担や気道の確保などを考慮したものではなかった。
【００１２】
そこで、この発明は、首を支えるのに十分な強度があり、人間が眠る際のいびきの軽減や首・肩への負担の軽減など、利用者が就寝時に快適に眠ることができるような、簡単な形状であり、かつ、就寝時に利用者の首への負担を和らげて、利用者にとって楽で快適な枕を提供することを目的とするものである。
【００１３】
実施の形態１．
図１は、この発明の実施の形態１における枕の外観構成の一例を示す斜視図である。また、図２は、この発明の実施の形態１における枕の、利用者による使用の状態を示す概略説明図である。
【００１４】
図１および図２に示すように、この発明の実施の形態１における枕１０は、利用者１が寝た状態で頭部を支えるために水平面（床）に設置して使用する枕であり、第１の支持部１１と、第２の支持部１２と、第３の支持部１３と、全体の土台１４とを備えている。
【００１５】
第１の支持部１１は、利用者１が寝た状態で、利用者１の足から最も遠い位置に載置して使用され、利用者１の頭部を主として支える支持部である。
第２の支持部１２は、第１の支持部１１に接着され、利用者１の首部を主として支える支持部である。
第３の支持部１３は、第２の支持部１２に接着され、利用者１の胸部および肩部を主として支える支持部である。
【００１６】
ここで、それぞれの支持部は硬さの異なる高反発ウレタン素材により構成されており、第１の支持部１１、第２の支持部１２、第３の支持部１３のうち、第２の支持部１２がもっとも硬い高反発ウレタン素材から成り、第１の支持部１１が２番目に硬い高反発ウレタン素材から成り、第３の支持部１３がもっともやわらかい高反発ウレタン素材から成る。なお、土台１４は、例えばフェルト等で構成されており、第１の支持部１１、第２の支持部１２、第３の支持部１３をまとめて支える役目を果たしている。
【００１７】
それぞれの支持部の形状としては、第１の支持部１１と第２の支持部１２は、枕１０が設置された水平面（床）からの高さが略同じ高さの略直方体形状の部材である。
また、第３の支持部１３は、第２の支持部１２と接着している箇所は、枕１０が設置された水平面（床）からの高さが第１の支持部１１および第２の支持部１２と略同じ高さ（ほぼ同じ高さか少しだけ低い高さ）であり、かつ、第２の支持部１２と接着していない端の箇所は、枕１０が設置された水平面（床）からの角度が１０度以上２０度以下になるような傾斜がつけられて形成されている、略直角三角柱状の部材である。
【００１８】
図３は、この発明の実施の形態１における枕の右側面図（図１を矢印Ａ方向から見た図）を示す説明図である。図３に示すとおり、この実施の形態１における枕１０は、第１の支持部１１および第２の支持部１２は高さ６０ｍｍの部材であり、土台１４の高さは１０ｍｍであるので、枕１０が設置された水平面（床）からの、第１の支持部１１および第２の支持部１２の高さは７０ｍｍである。なお、この実施の形態１では、第１の支持部１１と第２の支持部１２の高さをまったく同じ高さとしたものを例に説明するが、ほぼ同じ高さであればよく、また、第１の支持部１１の利用者１の足から最も遠い位置の方が水平面（床）からの高さが少し高くなるよう、緩やかな傾斜が施されているようにしてもよい（後述する実施の形態２参照）。
【００１９】
また、第３の支持部１３の、第２の支持部１２と接着している箇所は、水平面（床）からの高さが６０ｍｍであり、第２の支持部１２と接着している箇所から図３におけるもっとも左側の端の箇所までの長さは１６０ｍｍである。そして、第３の支持部１３の、第２の支持部１２と接着していない箇所の傾斜角度としては、枕１０が設置された水平面（床）から１５度の角度になっている。
【００２０】
この角度については、基本的に、通常の利用者１の頸椎は、利用者１が床（水平面）に寝た場合、胸椎のあたりの湾曲が胸椎の６・７番あたりから頭に向かって１５〜１８度の角度で起き上がるようになるのが正常である。そのため、肩から頭を載せようとすれば、胸椎の６・７番あたりからの角度が１５〜１８度が理想となる。もし、第３の支持部１３の傾斜が、枕１０が設置された水平面（床）から２０度よりも大きくなってしまうと、利用者１が猫背になりやすくなる、という問題がある。逆に、猫背の人であっても、枕１０のように第３の支持部１３の傾斜角度が固定されれば、猫背対策にもなるというメリットがある。
【００２１】
なお、それぞれの支持部の高さや長さ、傾斜角度については、上記に挙げた数値は一例にすぎず、必ずしもまったく同じ数値である必要はないことは言うまでもないが、第３の支持部１３の端の箇所の傾斜角度としては、１０度以上２０度以下であることが望ましい。これは、１０度より小さい角度にすると、第３の支持部１３の端が利用者１の腰のあたりまで伸びてしまい、人間の背骨の形状にうまく合わなくなるからである。また逆に、２０度より大きい角度にすると、利用者１の肩と床との間に隙間ができやすくなり、利用者１の胸部および肩部をしっかり支えることができなくなるとともに、前述のとおり猫背になりやすくなるからである。
【００２２】
そして、この第３の支持部１３は、利用者１の胸部から肩全体を支えるものであり、全体に柔らか目の高反発ウレタン素材で構成されている。また、第２の支持部１２は、利用者１の首を支えるためしっかり硬めの高反発ウレタン素材で構成されている。そして第１の支持部１１は、利用者１の頭部を支えるものであり、首を支える第２の支持部１２よりは柔らかいが、第３の支持部１３よりは硬い高反発ウレタン素材で構成されている。
【００２３】
このような素材および形状の枕１０によれば、簡単な形状であるとともに、通常、成人であれば１５〜２０ｋｇもの重さがある頭を確実に支えることができ、その頭だけを支えるのではなく、利用者１の胸部から肩全体を支え、首（頸椎）の負担を和らげることができる。その結果、利用者１の首（頸部）への負担が軽減され、利用者１の骨格を正常に導くことができるとともに、就寝時に利用者１にとって楽であり、かつ、利用者１が快適に眠ることができる。
【００２４】
なお、図４に示すように、第１の支持部１１の中央下部にスリット１５を入れて、第１の支持部１１の形状を一部変更してもよい。ここで図４は、実施の形態１における枕１０の第１の支持部１１の形状を一部変更した場合の背面図（図１を矢印Ｂ方向から見た図）を示す説明図である。図中、斜線部がスリット１５であり、その部分は空間（隙間）があることを示している。
【００２５】
このように第１の支持部１１にスリット１５を入れることにより、利用者１が枕１０の中央で仰向けに寝ているときには頭部を支えている第１の支持部１１はスリット１５が入っている分だけ柔らかくなり、利用者１が寝返りをうって横向きになったときには、スリット１５が入っていない第１の支持部１１により頭部が支えられるため、利用者１が仰向けに寝ている場合と横向きに寝ている場合とで、枕１０の第１の支持部１１の硬さと高さがそれぞれちょうどよく、利用者１にとってより快適に眠ることができる。
【００２６】
以上のように、この発明の実施の形態１における枕１０によれば、簡単な形状であるとともに、利用者の頭部と首だけでなく、利用者の胸部および肩全体を支え、首（頸椎）の負担を和らげることができるので、就寝時に利用者にとって楽であり、かつ、利用者が快適に眠ることができる。
【００２７】
実施の形態２．
図５は、この発明の実施の形態２における枕の外観構成の一例を示す斜視図である。また、図６は、この発明の実施の形態２における枕の、利用者による使用の状態を示す概略説明図である。なお、図１，図２で説明したものと同様の構成には、同一の符号を付して重複した説明を省略する。
【００２８】
図５および図６に示すように、この発明の実施の形態２における枕２０は、利用者１が寝た状態で頭部を支えるために設置して使用する枕であり、第１の支持部２１と、第２の支持部１２と、第３の支持部１３と、全体の土台１４とを備えている。
【００２９】
第１の支持部２１は、利用者１が寝た状態で、利用者１の足から最も遠い位置に載置して使用され、利用者１の頭部を主として支える支持部である点では、実施の形態１における枕１０の第１の支持部１１と同じであるが、この実施の形態２における第１の支持部２１には、図５を見るとわかるように、利用者１が頭部を置いた際に、より安定した支えを提供してくれるような波が表面に施されている。また、利用者１の足から最も遠い位置の方が水平面（床）からの高さが少し高くなるよう、緩やかな傾斜も施されている。このようにすることにより、利用者１にとって、頭のてっぺんが下がったような気にならない（頭に血が上っていくような感覚にならない）というメリットもある。なお、この実施の形態２では、第１の支持部２１に緩やかな傾斜が施されているものを例に説明するが、実施の形態１で示した例のように、傾斜が施されていないものであってもよい。
【００３０】
そして、それぞれの支持部は硬さの異なる高反発ウレタン素材により構成されており、第１の支持部２１、第２の支持部１２、第３の支持部１３のうち、第２の支持部１２がもっとも硬い高反発ウレタン素材から成り、第１の支持部２１が２番目に硬い高反発ウレタン素材から成り、第３の支持部１３がもっともやわらかい高反発ウレタン素材から成る。なお、土台１４は、例えばフェルト等で構成されており、第１の支持部２１、第２の支持部１２、第３の支持部１３をまとめて支える役目を果たしている。
【００３１】
それぞれの支持部の形状としては、第１の支持部２１と第２の支持部１２は、枕２０が設置された水平面（床）からの高さが略同じ高さの略直方体形状の部材である。
また、第３の支持部１３は、第２の支持部１２と接着している箇所は、枕２０が設置された水平面（床）からの高さが第１の支持部２１および第２の支持部１２と略同じ高さ（ほぼ同じ高さか少しだけ低い高さ）であり、かつ、第２の支持部１２と接着していない端の箇所は、枕２０が設置された水平面（床）からの角度が１０度以上２０度以下になるような傾斜がつけられて形成されている、略直角三角柱状の部材である。
【００３２】
そして、この第３の支持部１３は、利用者１の胸部から肩全体を支えるものであり、全体に柔らか目の高反発ウレタン素材で構成されている。また、第２の支持部１２は、利用者１の首を支えるためしっかり硬めの高反発ウレタン素材で構成されている。そして第１の支持部２１は、利用者１の頭部を支えるものであり、首を支える第２の支持部１２よりは柔らかいが、第３の支持部１３よりは硬い高反発ウレタン素材で構成されている。
【００３３】
このような素材および形状の枕２０によれば、簡単な形状であるとともに、通常、成人であれば１５〜２０ｋｇもの重さがある頭を確実に支えることができ、その頭だけを支えるのではなく、利用者１の胸部から肩全体を支え、首（頸椎）の負担を和らげることができる。その結果、利用者１の首（頸部）への負担が軽減され、利用者１の骨格を正常に導くことができるとともに、就寝時に利用者１にとって楽であり、かつ、利用者１が快適に眠ることができる。
【００３４】
なお、この実施の形態２においても、実施の形態１における枕１０について図４に示したものと同様に、第１の支持部２１の中央下部にスリットを入れるようにしてもよく、その場合には図４についての説明と同様の効果を得ることができる。
【００３５】
以上のように、この発明の実施の形態２における枕２０によれば、実施の形態１における枕１０と同様に、簡単な形状であるとともに、利用者の頭部と首だけでなく、利用者の胸部および肩全体を支え、首（頸椎）の負担を和らげることができるので、就寝時に利用者にとって楽であり、かつ、利用者が快適に眠ることができる。
【００３６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３７】
１  利用者
１０，２０  枕
１１，２１  第１の支持部
１２  第２の支持部
１３  第３の支持部
１４  土台
１５  第１の支持部１１の中央下部のスリット
【図１】
2019110966.tif 000003
【図２】
2019110966.tif 000004
【図３】
2019110966.tif 000005
【図４】
2019110966.tif 000006
【図５】
2019110966.tif 000007
【図６】
2019110966.tif 000008